(57)【要約】【課題】  ベランダなどの狭い空間に配置するのに適していると共に、構造も複雑でなく、少ない部品点数で、組み立ても容易で、しかも安定した設置が可能なプランター支持棚を提供する。【解決手段】  左右一対の縦柱２１間にプランター７を支持するための複数の支持部材３が上下方向に所定の間隔を有して架設されていること及び左右一対の縦柱２１間に網体９が架設されているとともに前記網体９にプランター７を支持するための複数の支持部材３が所定の間隔を有して掛止されるものとした。また、前記各縦柱２１の下端に前後方向へ延びるベース材２３が配置されている構成或いは前記各縦柱２１の上端に継ぎ手２１ｃを介して頂端に天井５２へ当接部を有する延長棒２１ｂが連結可能であるとともに前記各縦柱２１の底部にアジャスタージャッキ８を設置した。【選択図】      図１
0003107076.tif 000002
【実用新案登録請求の範囲】
【請求項１】
左右一対の縦柱間にプランターを支持するための複数のフック付きＵ字型の支持部材が上下方向に所定の間隔を有して架設されていることを特徴とするプランター支持棚。
【請求項２】
左右一対の縦柱間に網体が架設されているとともに前記網体にプランターを支持するための複数のフック付き変形Ｕ字型の支持部材が所定の間隔を有して掛止されていることを特徴とするプランター支持棚。
【請求項３】
前記各縦柱の下端に前後方向へ延びるベース材が配置されている請求項１または２に記載のプランター支持棚。
【請求項４】
前記各縦柱の上端に継ぎ手を介して頂端に天井への当接部を有する延長棒が連結されているとともに前記各縦柱の底部にアジャスタージャッキが設置されている請求項１，２または３に記載のプランター支持棚。
【請求項５】
背面に沿って筋交いが配置されている請求項１，２，３または４に記載のプランター支持棚。
【考案の詳細な説明】
【技術分野】
【０００１】
本考案は、草花や野菜などを育成するプランターを支持するための棚に関するものであり、特に、複数のプランターを支持して家屋のベランダに配置可能なプランター支持棚に関するものである。
【背景技術】
【０００２】
従来、家屋のベランダなどにおいて草花や野菜などを育成する手段の一つとしてプランターや植木鉢を用いることが行われており、特に、多数のプランター等を少ない空間に設置する目的で多段式のプランター支持棚が用いられている。
【０００３】
そして、ベランダなどの狭い空間に配置されるプランター支持棚が、例えば実開平６−７４４５号公報、特開平８−１６３９３１号公報、特開平１０−１１３０８０号公報、特開２０００−００００３１号公報等に提示されている。
【０００４】
しかしながら、前記公報に提示されているプランター支持棚は、いずれも三角形の側部材を用いたり、下方に向かうに従って前方へ張り出す形状を有するものであり、安定して設置できる反面、設置面積が大きく、一般に幅が狭いベランダに置くには適していない。
【０００５】
また、前記公報に提示されているプランター支持棚は、構造も複雑で部品点数も多く、組み立ても容易ではない。
【特許文献１】実開平６−７４４５号公報
【特許文献２】特開平８−１６３９３１号公報
【特許文献３】特開平１０−１１３０８０号公報
【特許文献４】特開２０００−００００３１号公報
【考案の開示】
【考案が解決しようとする課題】
【０００６】
本考案が解決しようとする課題は、ベランダなどの狭い空間に配置するのに適していると共に、構造も複雑でなく、少ない部品点数で、組み立ても容易で、しかも安定した設置が可能なプランター支持棚を提供するものである。
【課題を解決するための手段】
【０００７】
前記課題を解決するためになされた本考案は、左右一対の縦柱間にプランターを支持するための複数の支持部材が上下方向に所定の間隔を有して架設されていること及び左右一対の縦柱間に網体が架設されているとともに前記網体にプランターを支持するための複数の支持部材が所定の間隔を有して掛止されていることを特徴とする。また、前記各縦柱の下端に前後方向へ延びるベース材が配置されている構成或いは前記各縦柱の上端に継ぎ手を介して頂端に天井へ当接部を有する延長棒が連結可能であるとともに前記各縦柱の底部にアジャスタージャッキが設置されている構成とすることにより安定した状態で設置することができ、各支持部材の背面に沿って筋交いが配置されていると更に頑丈になる。
【考案の効果】
【０００８】
本考案によれば、家庭で畑を必要とせずに簡単に野菜や草花を簡単に栽培することができる。また、前記実施の形態では、一般の住宅や集合住宅等のベランダなどに設置する型のものを示したが、庭の隅やガレージなど屋外の少ないスペースでも使用することができ、特に、地上に直接設置することも可能であり、この場合には、下面に地中に埋設する打ち込み金具などを設ければよい（図示せず）。
【考案を実施するための最良の形態】
【０００９】
次に、本考案を実施するための最良の形態について図面を参照して説明する。      
【００１０】
図１乃至図２は本考案における好ましい実施の形態を示すものであり、プランター支持棚１は全体として木材により形成されて、それぞれ垂直方向に配置した左右一対の縦柱２１，２１間にプランターを支持するための複数の枠状を呈する支持部材３が上下方向に所定の間隔を有して架設されている。
【００１１】
更に詳しく説明すると、前記縦柱２１，２１の互いに対向する内側面に、所定の上下間隔で縦柱２１，２１に対してプランターの支持部材３が接着剤や取付ネジなどにより固着されている。また、縦柱２１，２１の下端には前方へ延びる例えばプランターの奥行きのほぼ２倍程度の長さを有するベース材２３，２３が後端を支持部材３の背面位置に合わせた状態で固着されて縦柱２１，２１を支持している。更に、各支持部材３の背面にわたって筋交い２４が斜めに架設されているとともに必要な場合には各縦柱２１，２１の下端とベース材２３とにわたって補強材２５が付設されている。
【００１２】
支持部材３は例えば図３に示すように、縦柱２１，２１に付設する受け材３１，３１とこれらの受け材３１，３１間に架設した支持材３２，３２と前記支持材３２，３２間に架設された例えば３つの凹状の吊具３３，３３，３３とから構成されるのでプランター７をずれたり落下したりすることなしに確実に配置することができる。支持部材３は金属、硬質合成樹脂、木材等各種の材料により或いはこれらを組み合わせて形成することができ、また、例えば図４に示すように吊具３３を板材により形成し、或いは図５に示すように金網で形成したりする等、支持部材３は市販のプランター７を支持することができるものであればよい。
【００１３】
本実施の形態であるプランター支持棚１は、図６及び図７に示すように、ベランダなどの床面５１に設置して各支持部材３に、草花や野菜などの栽培品６を植えたプランター７を挿入、支持させればよい。
【００１４】
以上のように、本実施の形態によれば、奥行がプランターの奥行のほぼ２倍程度の長さを有するベース材２３，２３の長さで済むので一般に幅の狭いベランダにも邪魔にならずに設置することができ、少ない設置面積で数多くのプランターを配置することができるばかりか、設置した各プランターや栽培品６が陰になることなく日照りがよく、また、ジョーロでの散水も行える。更に、従来のように上方のプランターに行くほど後方に位置することなく、全てのプランターの前端位置が同一であり日頃の手入れも容易である。更に、全体として部品点数も少なく計量で安価に提供できるとともに組み立て式とした場合にも素人が簡単に組み立てることが可能である。更に、各支持部材３の背面にわたって筋交い２４を架設したり、各縦柱２１，２１の下端とベース材２３とにわたって補強材２５を架設すると、より頑丈なものにすることができる。
【００１５】
図８および図９は本考案を木材を用いて実施した場合の異なる実施の形態を示すものであり、前記縦柱２１，２１の互いに対向する内側面に、上下方向にわたって所定の間隔で縦柱２１，２１に対して水平且つ前後方向に延びる受材２２に支持部材３が支持された状態で架設されている点は共通しているが、前記図１乃至図５に示した実施の形態と異なり、縦柱２１，２１の下端にベース材２３，２３が設置されていない。
【００１６】
代わりに、縦柱２１，２１の下端にねじ式で高さを調整できるアジャスタージャッキ８，８がそれぞれ備えられているととともに、縦柱２１，２１がベランダに設置したときにベランダの天井５２に当接する長さを有している。
【００１７】
殊に、本実施の形態では縦柱２１，２１が長尺になることにより保管や運搬時の不便さを考慮して縦柱２１，２１は本体２１ａ，２１ａと頂端に例えばゴム材のような緩衝性のある天井５２への当接部を有する延長棒２１ｂ，２１ｂとから構成され、これらを例えば鎹のような各種の継ぎ手２１ｃにより連結する構成であり、きわめて便利である。尚、本実施の形態においても前記実施の形態と同様に各支持部材３の背面にわたって筋交い２４を斜めに架設することにより全体としてより頑丈な構成にすることができる。
【００１８】
本実施の形態は縦柱２１，２１の上端を天井５２に接する用にしてベランダの所望位置に配置し、縦柱２１，２１の下端に設置されているアジャスタージャッキ８，８を調整して縦柱２１，２１がベランダの床面５１と天井５２との間に突っ張り支持させ、各支持部材３に草花や野菜などの栽培品６を植えたプランター７を支持すればよい。
【００１９】
本実施の形態によれば、底面積がほぼ支持部材３とほぼ同程度であり、前記実施の形態に比べてもほぼ半分程度のきわめて少ない設置面積で数多くのプランターを配置することができるばかりか更に部品点数も少なくて済む。また、プランター支持棚１は縦柱２１，２１がベランダの床面５１と天井５２との間に突っ張り支持されているので確実に固定されており、台風の時のような強風に対しても充分に耐え得ることができる。
【００２０】
図１０乃至図１２は、本考案を鉄などの金属、硬質の合成樹脂材やアルミニウムなどの軽金属材からなる管（パイプ）材を用いて実施した場合の実施の形態を示すものであり、それぞれ２本の縦柱２１，２１はそれぞれ前後方向に配置した２本の柱体２１１，２１１からなり、支持部材３が２本の柱体２１１，２１１間に架設した横材３１と縦材３２とから構成される。
【００２１】
また、縦柱２１，２１の下端には前記図１乃至図４に示した実施の形態と同様に一対のベース材２３，２３が、各支持部材３の背面にわたって筋交い２４が架設されている。
【００２２】
尚、本実施の形態は、２本の柱体２１１，２１１間に架設した受け材３１，３１とこれらの受け材３１，３１間に架設した支持材３２，３２と前記支持材３２，３２間に架設された例えば３つの凹状の吊具３３，３３，３３とから構成された支持部材３にプランター７を挿入することによりプランター７をずれたり落下したりすることなしに確実に支持することができる。
【００２３】
尚、本実施の形態は殆どの構成品が管（パイプ）材により構成されており、互いに隣接する各構成品をねじなどを用いて固着することにより簡単に組み立てることができるばかりか、管材を所定の寸法に切断するだけで各構成品を作成できるので製品を安価に且つ容易に多量生産することができる。
【００２４】
図１３乃至図１５は本考案を鉄などの金属、硬質の合成樹脂材やアルミニウムなどの軽金属材からなる管（パイプ）材を用いて実施した場合の異なる実施の形態を示すものであり、全体の構成は前記図７および図８に示した実施の形態と同様であり、それぞれがネジ式または管と管との差し込み式の継ぎ手２１ｃにより互いに連結される本体２１ａのアジャスタージャッキ８，８を調整して縦柱２１，２１がベランダの床面５１と天井５２との間に突っ張り支持させ、各支持部材３に草花や野菜などの栽培品６を植えたプランター７を支持するものであり、主たる利点も前記図５および図６に示した実施の形態とほぼ同様であり、前記図９乃至図１１に示した管（パイプ）材を用いて実施した場合の実施の形態よりも構成が簡単で設置空間も少なくて済む。
【００２５】
図１６乃至図２０は本考案の更に異なる実施の形態であり、本体２１ａ，２１ａと頂端に例えばゴム材のような緩衝性のある天井５２への当接部を有する延長棒２１ｂ，２１ｂとから構成される左右一対の縦柱２１，２１間に適宜の大きさの網目を有する網体９が架設されているとともに網体９の適宜位置にプランター７を挿入、支持するための複数の支持部材３が所定の間隔を有して上下方向に掛止されている。
【００２６】
本実施の形態における支持部材３は例えば図１８（ａ）に示すように、Ｕ字型の吊具３３の両遊端に金網９への掛止部３４，３５を有する構成であり、このような支持部材３の複数個を図１６に示すように横方向に並べて、横方向からプランター７を順次挿入して支持させ、図１９，２０に示すように栽培品６の育成を図るものである。
【００２７】
殊に本実施の形態は薄型の支持部材３を用いるので嵩張ることが無く、保管・運搬にも便利であり、また組み立てることも無くそのまま金網９に掛止するだけでよいので取り扱いも良好である。
【００２８】
また個々の支持部材３を横方向に揃えて掛止するのが面倒な場合には、図１８（ｂ）に示すようにＵ字型の吊具３３に挿通孔３６を形成しておき、これらに連結棒３７，３７を挿通して立体的な支持部材３としてから金網９に掛止する手段をとることもできる。
【００２９】
本実施の形態によれば、プランター７の支持部材３を網体９の所望の位置に掛止することができることから、プランター７に栽培する野菜や花などの種類などに応じて適宜位置決して配置することができるのでスペース的な無駄を省くことができるばかりか使用者の好みの野菜畑や花壇を設定しやすい。
【００３０】
また、支持部材３を別途にも販売すれば、使用者は必要な数だけ購入できることになり経済的な無駄を省くこともできる。
【図面の簡単な説明】
【００３１】
【図１】本考案を木材を用いて実施した場合の好ましい実施の形態を示す正面図。
【図２】図１の側面図。
【図３】支持部材の一例を示す斜視図。
【図４】異なる支持部材の一例を示す斜視図。
【図５】更に異なる支持部材の一例を示す斜視図。
【図６】図１に示した実施の形態についての使用状態を示す正面図。
【図７】図５の側面図。
【図８】本考案を木材を用いて実施した場合の異なる実施の形態についての使用状態を示す正面図。
【図９】図５の側面図。
【図１０】本考案を管材を用いて実施した場合の好ましい実施の形態を示す正面図。
【図１１】図９の側面図。
【図１２】図９の平面図。
【図１３】本考案を管材を用いて実施した場合の異なる実施の形態を示す正面図。
【図１４】図１２の側面図。
【図１５】図１２の平面図。
【図１６】本考案の更に異なる実施の形態における正面図。
【図１７】図１５の側面図。
【図１８】図１５に示す実施の形態について使用する支持部材の一例を示す斜視図。
【図１９】図１５に示す実施の形態の使用状態を示す正面図。
【図２０】図１８の側面図。
【符号の説明】
【００３２】
１  プランター支持棚、  ３  支持部材、  ４  筋交い、  ７  プランター、  ８  アジヤスタージャッキ、  ９  網体、  ２１  縦柱、  ２１ｂ  延長棒、    ２３  ベース材
【図１】
0003107076.tif 000003
【図２】
0003107076.tif 000004
【図３】
0003107076.tif 000005
【図４】
0003107076.tif 000006
【図５】
0003107076.tif 000007
【図６】
0003107076.tif 000008
【図７】
0003107076.tif 000009
【図８】
0003107076.tif 000010
【図９】
0003107076.tif 000011
【図１０】
0003107076.tif 000012
【図１１】
0003107076.tif 000013
【図１２】
0003107076.tif 000014
【図１３】
0003107076.tif 000015
【図１４】
0003107076.tif 000016
【図１５】
0003107076.tif 000017
【図１６】
0003107076.tif 000018
【図１７】
0003107076.tif 000019
【図１８】
0003107076.tif 000020
【図１９】
0003107076.tif 000021
【図２０】
0003107076.tif 000022